(57)【要約】【課題】乳幼児等の利用者の身体に摩擦や過度の押圧による負担をかけることなく、確実かつしっかりと利用者を保持することができ、しかも極めて安全性が高く快適に使用することが可能な安全ベルト構造と乳幼児用ベッドを提供する。【解決手段】乳幼児用ベッド１０の寝台１３の表面側にて、マット１５上に横たわらせる乳幼児の胴体両脇に対して両側方向から近接する２箇所に取り付けられて、乳幼児の胴体両脇に沿うように配置可能であり、かつ柔軟性を備えた一対のガイド部材２１，２２と、各ガイド部材２１，２２の先端側よりそれぞれ延び出て、所定の張力を生じさせた状態で互いに連結可能な一対のベルト部材３１，３２とを有して成る。一方のベルト部材３２は、これが対応するガイド部材２２の先端側より伸縮可能に設けられている。【選択図】図１
2004033247.tif 000002
【特許請求の範囲】
【請求項１】
ベッドないしシートを含むベッド類に設けられ、該ベッド類上に横たわる利用者の身体を拘束することができる安全ベルト構造において、
前記ベッド類の着身面側で利用者の胴体両脇に対して両側方向から近接する２箇所に取り付けられて、前記利用者の胴体両脇に沿うように配置可能であり、かつ柔軟性を備えた一対のガイド部材と、
前記各ガイド部材の先端側よりそれぞれ延び出て、少なくとも何れか一方が前記ガイド部材の先端側より伸縮可能に設けられ、所定の張力を生じさせた状態で互いに連結可能な一対のベルト部材とを有して成ることを特徴とする安全ベルト構造。
【請求項２】
前記各ガイド部材において、前記利用者の胴体両脇に接触する一面側を摩擦抵抗の大きな材質により形成したことを特徴とする請求項１記載の安全ベルト構造。
【請求項３】
前記各ガイド部材において、前記利用者の胴体両脇に接触する一面側に摩擦抵抗を大きくする凹凸形状を設けたことを特徴とする請求項１または２記載の安全ベルト構造。
【請求項４】
前記各ガイド部材のうち前記ベルト部材が伸縮可能に設けられている方の先端側に、前記ベルト部材の途中が全幅方向によれない状態で摺動可能に案内される挿通端部を設けたことを特徴とする請求項１，２または３記載の安全ベルト構造。
【請求項５】
前記挿通端部において、前記ベルト部材が挿通する案内孔の内周面側を摩擦抵抗の小さな材質により形成したことを特徴とする請求項４記載の安全ベルト構造。
【請求項６】
前記各ベルト部材の先端側に、互いに着脱可能な連結手段をそれぞれ設け、前記挿通端部における案内孔を、前記連結手段が挿通不能な大きさに設定したことを特徴とする請求項５記載の安全ベルト構造。
【請求項７】
前記各ガイド部材のうち前記ベルト部材が伸縮可能に設けられている方において、前記ベルト部材が摺接する他面側を摩擦抵抗の小さな材質により形成したことを特徴とする請求項１，２，３，４，５または６記載の安全ベルト構造。
【請求項８】
請求項１，２，３，４，５，６または７記載の前記安全ベルト構造を装備した乳幼児用ベッドであって、
前記ベッド類は、フロア上に立設される支持本体の正面に対して、該正面に沿った収納位置と略水平に引き倒された使用位置とに開閉可能な寝台と、該寝台上で前記利用者である乳幼児の着身面に相当する範囲に装着されるマットとから成ることを特徴とする乳幼児用ベッド。
【請求項９】
前記マットの両側に、その両側端縁より中央側に伸びる凹溝をそれぞれ形成し、前記各ガイド部材を、前記各凹溝に収納可能に設けたことを特徴とする請求項８記載の乳幼児用ベッド。
【請求項１０】
前記マットを、前記寝台に対して着脱自在に設けたことを特徴とする請求項８または９記載の乳幼児用ベッド。
【発明の詳細な説明】
【０００１】
【発明の属する技術分野】
本発明は、ベッドないしシートを含むベッド類に設けられ、該ベッド類上に横たわる利用者の身体を拘束することができる安全ベルト構造に関し、そのうち特に、乳幼児用ベッドに適用される安全ベルト構造、および乳幼児用ベッド自体に関するものである。
【０００２】
【従来の技術】
従来、この種の安全ベルト構造としては、例えば、図１５および図１６に示すように乳幼児用ベッド１に設けられたものが知られている。かかる乳幼児用ベッド１は、一般には各種の公共施設における公衆トイレ等に設置され、乳幼児を寝かせてオムツを交換したり着替えさせたりするのに用いられるものである。
【０００３】
乳幼児用ベッド１の中央部には、クッション性を備えたマット２が装着されており、該マット２の両側端部には、それぞれバックル５で連結可能な第１ベルト部材３と第２ベルト部材４が設けられていた。ここで第１ベルト部材３は所定長さで固定されているが、第２ベルト部材４はベッド本体の内部から引き出されて伸縮できるようになっている。
【０００４】
このような乳幼児用ベッド１では、マット２上の中央に乳幼児を乗せて仰向けに寝かせて、乳幼児の両脇より第１ベルト部材３および第２ベルト部材４を引っ張りつつ、バックル５を留め合わせる。かかる第１ベルト部材３および第２ベルト部材４によって乳幼児を拘束することができ、そのまま一時的に乳幼児を預けたり、オムツ交換や着替え等の作業を行うことができる。
【０００５】
【発明が解決しようとする課題】
しかしながら、前述したような従来の技術では、乳幼児を拘束すべく第２ベルト部材４をベッド本体内部から引き出す際に、該第２ベルト部材４によって乳幼児の身体を擦ったり、該第２ベルト部材４が乳幼児の身体に食い込んだりするおそれがあり、安全性を向上させるための対応策が求められていた。
【０００６】
また、前記第１ベルト部材３および第２ベルト部材４は滑りやすい材質により形成されており、乳幼児の胴体に巻き付けても乳幼児を保持する力に乏しく、乳幼児は容易に寝返りをうったり動くこともできたため、オムツ交換や着替え等の作業性が損なわれるという問題もあった。一方、保持力を強くしようとすると、乳幼児を押さえつける力が増し、乳幼児の身体に過度の負担をかけるおそれがあった。
【０００７】
本発明は、以上のような従来技術が有する問題点に着目してなされたもので、乳幼児等の利用者の身体に摩擦や過度の押圧による負担をかけることなく、確実かつしっかりと利用者を保持することができ、しかも極めて安全性が高く快適に使用することが可能な安全ベルト構造および乳幼児用ベッドを提供することを目的としている。
【０００８】
【課題を解決するための手段】
前述した目的を達成するための本発明の要旨とするところは、次の各項の発明に存する。
［１］ベッドないしシートを含むベッド類（１０）に設けられ、該ベッド類（１０）上に横たわる利用者の身体を拘束することができる安全ベルト構造において、
前記ベッド類（１０）の着身面側で利用者の胴体両脇に対して両側方向から近接する２箇所に取り付けられて、前記利用者の胴体両脇に沿うように配置可能であり、かつ柔軟性を備えた一対のガイド部材（２１，２２）と、
前記各ガイド部材（２１，２２）の先端側よりそれぞれ延び出て、少なくとも何れか一方が前記ガイド部材（２１，２２）の先端側より伸縮可能に設けられ、所定の張力を生じさせた状態で互いに連結可能な一対のベルト部材（３１，３２）とを有して成ることを特徴とする安全ベルト構造。
【０００９】
［２］前記各ガイド部材（２１，２２）において、前記利用者の胴体両脇に接触する一面側を摩擦抵抗の大きな材質により形成したことを特徴とする［１］記載の安全ベルト構造。
【００１０】
［３］前記各ガイド部材（２１，２２）において、前記利用者の胴体両脇に接触する一面側に摩擦抵抗を大きくする凹凸形状を設けたことを特徴とする［１］または［２］記載の安全ベルト構造。
【００１１】
［４］前記各ガイド部材（２１，２２）のうち前記ベルト部材（３１，３２）が伸縮可能に設けられている方の先端側に、前記ベルト部材（３１，３２）の途中が全幅方向によれない状態で摺動可能に案内される挿通端部（２５）を設けたことを特徴とする［１］，［２］または［３］記載の安全ベルト構造。
【００１２】
［５］前記挿通端部（２５）において、前記ベルト部材（３１，３２）が挿通する案内孔（２６）の内周面側を摩擦抵抗の小さな材質により形成したことを特徴とする［４］記載の安全ベルト構造。
【００１３】
［６］前記各ベルト部材（３１，３２）の先端側に、互いに着脱可能な連結手段（３５〜３８）をそれぞれ設け、前記挿通端部（２５）における案内孔（２６）を、前記連結手段（３５〜３８）が挿通不能な大きさに設定したことを特徴とする［５］記載の安全ベルト構造。
【００１４】
［７］前記各ガイド部材（２１，２２）のうち前記ベルト部材（３１，３２）が伸縮可能に設けられている方において、前記ベルト部材（３１，３２）が摺接する他面側を摩擦抵抗の小さな材質により形成したことを特徴とする［１］，［２］，［３］，［４］，［５］または［６］記載の安全ベルト構造。
【００１５】
［８］［１］，［２］，［３］，［４］，［５］，［６］または［７］記載の前記安全ベルト構造を装備した乳幼児用ベッドであって、
前記ベッド類（１０）は、フロア上に立設される支持本体（１１）の正面に対して、該正面に沿った収納位置と略水平に引き倒された使用位置とに開閉可能な寝台（１３）と、該寝台（１３）上で前記利用者である乳幼児の着身面に相当する範囲に装着されるマット（１５）とから成ることを特徴とする乳幼児用ベッド。
【００１６】
［９］前記マット（１５）の両側に、その両側端縁より中央側に伸びる凹溝（１７）をそれぞれ形成し、前記各ガイド部材（２１，２２）を、前記各凹溝（１７）に収納可能に設けたことを特徴とする［８］記載の乳幼児用ベッド。
【００１７】
［１０］前記マット（１５）を、前記寝台（１３）に対して着脱自在に設けたことを特徴とする［８］または［９］記載の乳幼児用ベッド。
【００１８】
次に前述した解決手段に基づく作用を説明する。
例えば、乳幼児用ベッド等のベッド類（１０）には、その着身面上に乳幼児である利用者を乗せて横にさせることができるが、このとき、着身面側の２箇所に取り付けられている一対のガイド部材（２１，２２）を利用者の胴体両脇に沿わせる。そして、各ガイド部材（２１，２２）の先端側よりそれぞれ延び出た一対のベルト部材（３１，３２）を、所定の張力を生じさせた状態で互いに連結することで、利用者の身体をしっかりと拘束することができる。各ガイド部材（２１，２２）は柔軟性を備えているので、利用者の身体に快適にフィットし、身体を傷付けるおそれはない。
【００１９】
前記各ガイド部材（２１，２２）は、前記着身面上で利用者の胴体両脇に対して両側方向から近接する２箇所に取り付けられているので、各ガイド部材（２１，２２）を利用者の胴体両脇に沿わせた際に、ガイド部材（２１，２２）の基端が利用者の脇腹の間近に位置することになる。そのため、利用者を拘束している状態で、着身面とガイド部材（２１，２２）と利用者脇腹との間の略三角領域を極力小さな空間に抑えることができ、余分な空間内における利用者の不用意な寝返りや余分な動きを防止することができる。
【００２０】
前記各ベルト部材（３１，３２）の少なくとも何れか一方は、ガイド部材（２１，２２）の先端側より伸縮可能に設けられているが、かかるベルト部材（３１，３２）を引っぱり出したり、各ベルト部材（３１，３２）を所定の張力を生じさせた状態で互いに連結する際に、各ベルト部材（３１，３２）が利用者の胴体部分に接触する範囲は前記各ガイド部材（２１，２２）がある分だけ短いものとなる。それにより、ベルト部材（３１，３２）によって利用者の身体を擦ったり、ベルト部材（３１，３２）が利用者の身体（特に脇腹等）に食い込んだりする事態を未然に防止することができる。
【００２１】
特に前記各ガイド部材（２１，２２）において、利用者の胴体両脇に接触する一面側を摩擦抵抗の大きな材質により形成すれば、利用者の身体がガイド部材（２１，２２）に対して滑ることがなく、利用者をより確実にしっかりと拘束することができ、あるいは、前記各ガイド部材（２１，２２）において、利用者の胴体両脇に接触する一面側に摩擦抵抗を大きくする凹凸形状を設けても、同様の作用効果を得ることができる。
【００２２】
また、前記各ガイド部材（２１，２２）のうちベルト部材（３１，３２）が伸縮可能に設けられている方の先端側に、ベルト部材（３１，３２）の途中が全幅方向によれない状態で摺動可能に案内される挿通端部（２５）を設ければ、ベルト部材（３１，３２）の伸縮に伴いガイド部材（２１，２２）から引き出されたり引き込まれたりする際に、ベルト部材（３１，３２）がガイド部材（２１，２２）に絡むことを防止でき、ベルト部材（３１，３２）をガイド部材（２１，２２）に対してスムーズに伸縮させることができる。ここで前記挿通端部（２５）において、前記ベルト部材（３１，３２）が挿通する案内孔（２６）の内周面側を摩擦抵抗の小さな材質により形成すれば、さらに円滑にベルト部材（３１，３２）を案内させることができる。
【００２３】
また、前記各ベルト部材（３１，３２）の先端側に、互いに着脱可能な連結手段（３５〜３８）をそれぞれ設けておき、前記挿通端部（２５）における案内孔（２６）を、前記連結手段（３５〜３８）が挿通不能な大きさに形成すれば、前記連結手段（３５〜３８）により各ベルト部材（３１，３２）の連結および取り外し操作が容易となると共に、前記連結手段（３５〜３８）がガイド部材（２１，２２）に巻き込まれることを防止することができる。
【００２４】
さらにまた、前記各ガイド部材（２１，２２）のうち前記ベルト部材（３１，３２）が伸縮可能に設けられている方において、前記ベルト部材（３１，３２）が摺接する他面側を摩擦抵抗の小さな材質により形成すれば、ガイド部材（２１，２２）に対するベルト部材（３１，３２）の滑りがよくなり、ベルト部材（３１，３２）をガイド部材（２１，２２）に対してスムーズに伸縮させることができる。
【００２５】
ところで、以上のような安全ベルト構造は、前記ベッド類（１０）が、フロア上に立設される支持本体（１１）と、該支持本体（１１）の正面に対して該正面に沿った収納位置と略水平に引き倒された使用位置とに開閉可能な寝台（１３）と、該寝台（１３）上で前記利用者である乳幼児の着身面に相当する範囲に装着されるマット（１５）とから成る乳幼児用ベッドに最適に適用することができる。
【００２６】
ここで前記マット（１５）の両側に、その両側端縁より中央側に伸びる凹溝（１７）をそれぞれ形成し、前記各ガイド部材（２１，２２）を、前記各凹溝（１７）に収納可能に設ければ、寝台（１３）を閉じて収納する際にガイド部材（２１，２２）が嵩張ることがなく、省スペース化の要請に応じることができる。また前記マット（１５）を、前記寝台（１３）に対して着脱自在に設ければ、汚れたマット（１５）を取り外して、新しいあるいは洗浄したマット（１５）に容易に交換することができ、衛生面を向上させることができる。
【００２７】
【発明の実施の形態】
以下、図面に基づき本発明を代表する一の実施の形態を説明する。
図１〜図１４は本発明の一実施の形態を示している。
本実施の形態に係る安全ベルト構造は、ベッドないしシートを含むベッド類に設けられ、該ベッド類における着身面上に横たわる利用者の身体を拘束することができるものである。以下、乳幼児用ベッド１０において、その寝台１３に設けられる場合を例に説明する。
【００２８】
先ず乳幼児用ベッド１０の全体の概要を説明する。
乳幼児用ベッド１０は一般には各種の公共施設における公衆トイレ等に設置され、乳幼児を寝かせてオムツを交換したり着替えさせたりするのに用いられるものである。図１〜図３に示すように、乳幼児用ベッド１０は、フロア上に立設される支持本体１１の正面に対して、該正面に沿った収納位置と略水平に引き倒された使用位置とに開閉可能な寝台１３と、該寝台１３上で乳幼児の着身面に相当する範囲に装着されるマット１５とから成る。
【００２９】
支持本体１１は自立可能に構成されてフロア上の壁際等に立設されるものであり、支持本体１１の正面側の上半部には凹部１２が形成され、この凹部１２に寝台１３が開閉可能に収まるように設けられている。凹部１２の下端側には、前方に突出する一対の支持部１２ａ，１２ａが設けられ、一方、寝台１３の基端側には、前記各支持部１２ａを案内する前後方向に延びる一対の長溝１３ａ，１３ａが設けられている。
【００３０】
各支持部１２ａが各長溝１３ａに嵌合した状態で、図示省略した軸部材により、寝台１３は、支持本体１１の正面に沿うように凹部１２に収まる収納位置と、略水平に引き倒された状態で保持される使用位置（図１に示す状態）とに開閉可能に支持されている。図示省略したが、寝台１３を凹部１２に収まる収納位置に閉じた際には、寝台１３の背面側が支持本体１１の正面側の下半部と滑らかに連続する面を成すようにデザインされている。
【００３１】
また、寝台１３の両側縁は、その前方から後方へ向かうにしたがい高く上方に立ち上がり、寝台１３の表面側を囲むように形成されている。なお、寝台１３を収納位置に保持するためのロック手段として、凹部１２の上端側には磁石１４ａが設けられ、寝台１３の先端側には、前記磁石１４ａが吸着する被吸着板１４ｂが設けられている。
【００３２】
寝台１３の表面側には、マット１５と本発明の根幹を成す安全ベルト構造が設けられている。図３に示すように、マット１５は、寝台１３上で乳幼児の着身面に相当する範囲に装着されるものであり、具体的には、図示した薄板形状のパッド材にビニールレザー等の表皮材を被覆して成り、一端側のパッド材には乳幼児の頭部を保護するための枕部１６が一体成形されている。
【００３３】
また、マット１５の両側の略中央には、その両側端縁より中央側に伸びる一対の凹溝１７，１７がそれぞれ形成されている。かかる凹溝１７は、次述する安全ベルト構造の各ガイド部材２１，２２を収納可能な部位である。なお、マット１５は、寝台１３の表面側に対して、例えば面ファスナ等を介して着脱自在に設けられている。
【００３４】
安全ベルト構造は、前記寝台１３の表面側にて前記マット１５上に寝かせた乳幼児の胴体両脇に対して両側方向から近接する２箇所に取り付けられた一対のガイド部材２１，２２と、各ガイド部材２１，２２の先端側よりそれぞれ延び出て、互いに連結可能な一対のベルト部材３１，３２とを有して成る。
【００３５】
図４に示すように、各ガイド部材２１，２２と各ベルト部材３１，３２は、それぞれ１枚の取付プレート４０を介して、前記寝台１３の表面側に前記マット１５を取り外した状態で取り付けられている。図８および図９に示すように、各ガイド部材２１，２２は、柔軟性と適度な弾発力を生じせる可撓性を備えた材質、具体的には例えば軟質ウレタン等により、図示した細巾な薄板状に成形された部材である。
【００３６】
各ガイド部材２１，２２の基端側には、それぞれ一対ずつ固着片２３，２３がガイド部材全体の基準面より平行に一段下がる状態に突設されている。図５に示すように、各ガイド部材２１，２２は、それぞれの固着片２３が前記取付プレート４０の両側部にビス止めされて、該取付プレート４０の両側部より左右方向に延びるように固着されている。なお、各ガイド部材２１，２２の基端側にて、各固着片２３の間で取付プレート４０の表面とガイド部材基準面とに囲まれる隙間は、ベルト部材３１，３２が挿通可能な空間となっている。
【００３７】
一方、図６および図７に示すように、各ガイド部材２１，２２の先端側には、それぞれ対応するベルト部材３１，３２の途中が全幅方向によれない状態で摺動可能に案内される挿通端部２５が設けられている。なお、図８および図９に示すように、各ガイド部材２１，２２の先端側は、少し幅広となっており挿通端部２５を取り付けるための被取付部２４として形成されている。
【００３８】
挿通端部２５は被取付部２４に対し、各ガイド部材２１，２２が乳幼児の胴体両脇に接触しない面側へ出っ張るようにビス止めされる。ここでビスも、各ガイド部材２１，２２の表面上に出っ張らないように前記被取付部２４に凹設されたビス穴２４ａ内に収まって止められるように配慮されている。
【００３９】
図１０および図１１に示すように、挿通端部２５は、各ガイド部材２１，２２の先端側より延び出るベルト部材３１，３２の途中が全幅方向によれない状態で摺動可能に案内される部位である。かかる挿通端部２５は、各ガイド部材２１，２２の長手方向と直交する方向に所定幅で延びる小判形状に成形されており、その前後に連通しベルト部材３１，３２を挿通させるための案内孔２６を有している。
【００４０】
案内孔２６は、ベルト部材３１，３２の途中が全幅方向によれない状態で摺動可能に案内されるように、ベルト部材３１，３２の全幅および厚さより一回り大きい開口面積に設定されている。挿通端部２５は、例えばポリアセタール等の樹脂により一体成形されるが、特に案内孔２６の内周面側は、ベルト部材３１，３２に対して殆ど摩擦が生じないで滑りをよくするために、摩擦抵抗の小さな材質により形成するとよい。前記ポリアセタール等であれば摩擦抵抗の小さな材質として十分であるが、これら摩擦抵抗の小さな材質から成る薄膜材を、前記案内孔２６の内周面側を覆うように別途貼り付けるようにしてもよい。
【００４１】
本実施の形態における挿通端部２５は、各ガイド部材２１，２２とは別体として形成されたものを、後から各ガイド部材２１，２２に一体にビスで組み付けているが、最初から各ガイド部材２１，２２の先端側に一体成形するようにしてもよい。なお、挿通端部２５の両端側には、前記被取付部２４のビス穴２４ａに対応する取付孔２７が予め設けられている。
【００４２】
また、各ガイド部材２１，２２において、乳幼児の胴体両脇に接触する一面側は摩擦抵抗の大きな材質により形成するとよい。前述した例えば軟質ウレタンも摩擦抵抗の大きな材質の部類に入るが、より大きな摩擦抵抗を得るためにゴム等の材質から成る薄膜材を前記一面側に貼着するように構成したり、あるいは前記一面側に摩擦抵抗を大きくする凹凸形状として、密に並ぶ波形状の溝を設けたり、エンボス加工を施すとよい。
【００４３】
一方、各ガイド部材２１，２２において、乳幼児の胴体両脇に接触しない他面側には次述するベルト部材３１，３２が摺接するので、ベルト部材３１，３２の滑りをよくするために、摩擦抵抗の小さな材質から成る薄膜材を、各ガイド部材２１，２２において各ベルト部材３１，３２が接する前記他面側に別途貼り付けるように構成するとよい。
【００４４】
なお、本実施の形態においては、左右のガイド部材２１，２２を同一部品として共通化するために、両方のガイド部材２１，２２の先端側にそれぞれ前記挿通端部２５を設けるようにしたが、次述するベルト部材３２が伸縮可能に設けられている右側のガイド部材２２にのみ、その先端側に挿通端部２５を設けて、左側のガイド部材２１には挿通端部２５を設けることなく、その先端側に所定長さのベルト部材３１の基端を直接止着するようにしてもよい。
【００４５】
前述したように、各ガイド部材２１，２２の基端側は、それぞれ１枚の取付プレート４０を介して前記寝台１３の表面側に取り付けられているが、図３に示すように、各ガイド部材２１，２２は、寝台１３の表面側に敷設したマット１５の各凹溝１７に丁度収まるように設定されている。ここで各ガイド部材２１，２２を、マット１５上に寝かせた乳幼児の胴体両脇に沿わせるように持ち上げた際、各ガイド部材２１，２２の基端側は、前記凹溝１７内を通るためマット１５の両側端縁に干渉することがない。
【００４６】
すなわち、各ガイド部材２１，２２の基端側は、それぞれ前記マット１５の横幅に規制されることなく、前記凹溝１７内を通ってマット１５のより中央側で互いに近接することになる。それにより、各ガイド部材２１，２２は、マット１５上にて乳幼児の胴体両脇に対して両側方向から近接する２箇所に取り付けられることになる。
【００４７】
図５に示すように、各ベルト部材３１，３２も、それぞれ１枚の取付プレート４０を介して、前記各ガイド部材２１，２２の先端側よりそれぞれ延び出る状態で、前記寝台１３の表面側に取り付けられている。一方のベルト部材３１（図５中で左側）は、対応する前記ガイド部材２１の挿通端部２５を挿通してガイド部材２１に沿って延び、該ベルト部材３１の基端側は、前記ガイド部材２１と同様に前記取付プレート４０の左側部に一体に固定されている。
【００４８】
他方のベルト部材３２（図５中で右側）は、対応する前記ガイド部材２２の挿通端部２５を挿通してガイド部材２２に沿って延び、該ベルト部材３２の途中は前記ガイド部材２２の基端側から抜け出て前記取付プレート４０のガイド溝４１を通り略直角方向に折り返されて延びている。かかるベルト部材３２の基端側は、止め金具３３に連結されたコイルスプリング３４を介して、前記寝台１３の表面側の適所に固定されている。すなわち、他方のベルト部材３２は、コイルスプリング３４の伸縮によって前記ガイド部材２２の挿通端部２５より伸縮可能に設けられている。
【００４９】
各ベルト部材３１，３２の先端側には、互いに着脱可能な連結手段が設けられている。かかる連結手段は、一方のベルト部材３１の先端側に固着されたバックル３５と、他方のベルト部材３２の先端側に固着されたベース部３７に突設された留め金３８とから構成されている。バックル３５には、その挿入口３５ａに差し込まれた前記留め金３８をロックおよびロック解除するものであり、留め金３８に係脱するロック部材（図示せず）と、ロック解除操作を行うための解除ボタン３６とを有して成る。一方、留め金３８には、前記ロック部材が係脱するための被係合孔３８ａが開設されている。
【００５０】
ここで連結手段を構成するバックル３５およびベース部３７は、それぞれ前記各ガイド部材２１，２２の挿通端部２５にある案内孔２６を挿通不能な大きさに形成されており、各ガイド部材２１，２２に対する抜け止め用のストッパの役目を果たしている。なお、前記各ベルト部材３１，３２自体は、ナイロン等の樹脂繊維をベルト状に編み込んだものでもよく、あるいはナイロン樹脂等をベルト状に一体成形したものでもよい。
【００５１】
次に、前記乳幼児用ベッド１０とその安全ベルト構造の作用を説明する。
図１２および図１３は、寝台１３のマット１５上に乳幼児を寝かせて、安全ベルト構造により拘束した状態を模式的に示している。乳幼児用ベッド１０を使用する場合には、通常は収納位置にある寝台１３を前方へ引き倒すように回動させると、図３に示すように寝台１３は略水平な使用位置に保持される。
【００５２】
かかる使用位置にある寝台１３において、着身面を成すマット１５上に乳幼児の頭が奥の枕部１６上に位置するように横たわらせてから、乳幼児の腹部を安全ベルト構造により拘束することができる。すなわち、先ず最初に、マット１５の両側２箇所から延び出た一対のガイド部材２１，２２を乳幼児の胴体両脇に沿わせる。
【００５３】
続いて、各ガイド部材２１，２２の先端側よりそれぞれ延び出た一対のベルト部材３１，３２を、所定の張力を生じさせた状態で互いに連結することで、乳幼児の身体をしっかりと拘束することができる。各ガイド部材２１，２２は柔軟性を備えているので、乳幼児の身体に快適にフィットし、身体を傷付けるおそれはない。
【００５４】
前記各ガイド部材２１，２２は、マット１５の両側にある凹溝１７を通って乳幼児の胴体両脇に対して両側方向から近接する２箇所に取り付けられているので、各ガイド部材２１，２２を乳幼児の胴体両脇に沿わせた際に、ガイド部材２１，２２の基端が乳幼児の脇腹の間近に位置することになる。
【００５５】
それにより、乳幼児を拘束している状態で、マット１５の表面（着身面）とガイド部材２１，２２と乳幼児脇腹との間の略三角領域（図１３中でＴ）を極力小さな空間に抑えることができ、余分な空間内における乳幼児の不用意な寝返りや余分な動きを防止することができる。それにより、乳幼児のオムツ交換や着替え等の作業を効率よく行うことができる。
【００５６】
また、各ベルト部材３１，３２のうち右側のベルト部材３２は、ガイド部材２２の先端側より伸縮可能に設けられており、マット１５下方にあるコイルスプリング３４によって常時縮む方向に付勢されている。そのため、右側のベルト部材３２を引っぱり出した状態で左側とのベルト部材３１と連結されることで、適度な張力を維持することができ、乳幼児をしっかりと拘束することができる。
【００５７】
各ベルト部材３１，３２の先端側には、互いに着脱可能な連結手段が設けられており、左側のベルト部材３１にあるバックル３５の挿入口３５ａに、右側のベルト部材３２にある留め金３８を差し込むだけで、各ベルト部材３１，３２の先端同士を確実に連結した状態にロックすることができる。
【００５８】
一方、バックル３５にある解除ボタン３６を押せば、簡単にロックを解除することができる。なお、伸縮するベルト部材３２の先端には、連結手段のベース部３７が出っ張るように設けられており、該ベース部３７は前記挿通端部２５の案内孔２６に挿通不能な大きさであり、ベルト部材３２の先端側がガイド部材２２に巻き込まれるのを防止するストッパの役目を果たす。
【００５９】
右側のベルト部材３２を引っぱり出す際に、該ベルト部材３２の途中は前記ガイド部材２１にある挿通端部２５の案内孔２６を通って全幅方向によれない状態で摺動可能に案内される。従って、ベルト部材３２の伸縮に伴いガイド部材２２から引き出されたり引き込まれたりする際に、ベルト部材３２がガイド部材２２に絡むことを防止でき、ベルト部材３２をガイド部材２２に対してスムーズに伸縮させることができる。
【００６０】
ここで前記ガイド部材２２の挿通端部２５において、前記ベルト部材３２が挿通する案内孔２６の内周面側を摩擦抵抗の小さな材質により形成すれば、さらに円滑にベルト部材３２を案内させることができる。また、前記ガイド部材２２において前記ベルト部材３２が摺接する他面側を摩擦抵抗の小さな材質により形成すれば、ガイド部材２２に対するベルト部材３２の滑りがよくなり、よりいっそうとベルト部材３２をガイド部材２２に対してスムーズに伸縮させることができる。
【００６１】
以上のように右側のベルト部材３２を引っぱり出して、各ベルト部材３１，３２を互いに連結する際に、各ベルト部材３１，３２が乳幼児の胴体部分に接触する範囲は前記各ガイド部材２１，２２がある分だけ短いものとなる。それにより、ベルト部材３１，３２によって乳幼児の身体を擦ったり、ベルト部材３１，３２が乳幼児の身体特に脇腹等に食い込んだりする事態を未然に防止することができる。
【００６２】
また、各ガイド部材２１，２２において、乳幼児の胴体両脇に接触する一面側を摩擦抵抗の大きな材質により形成すれば、乳幼児の身体がガイド部材２１，２２に対して滑ることがなく、乳幼児をより確実にしっかりと拘束することができ、あるいは、前記各ガイド部材２１，２２において、乳幼児の胴体両脇に接触する一面側に摩擦抵抗を大きくする凹凸形状を設けても、同様の作用効果を得ることができる。
【００６３】
以上のように安全ベルト構造は乳幼児用ベッドに最適に適用することができる。特に、前記マット１５の両側には、その両側端縁より中央側に伸びる凹溝１７が形成されており、前記各ガイド部材２１，２２を、各凹溝１７に収納可能に設ければ、寝台１３を閉じて収納する際にガイド部材２１，２２が嵩張ることがなく、省スペース化の要請に応じることができる。さらに、前記マット１５を、前記寝台１３に対して着脱自在に設ければ、汚れたマット１５を取り外して、新しいあるいは洗浄したマット１５に容易に交換することができ、衛生面を向上させることができる。
【００６４】
図１４は各ガイド部材２１Ａ，２２Ａの変形例を示している。
本変形例では、各ガイド部材２１Ａ，２２Ａの長手方向に延びるスリット２８を設けている。かかるスリット２８を設けることで、各ガイド部材２１Ａ，２２Ａの柔軟性をより増大させることができる。なお、スリット２８の形状と数は任意に設定すればよく、例えば、図１４中に示したものよりも細幅のスリットを２本ないし３本平行に設けるようにしてもよい。
【００６５】
以上、本発明の実施の形態を図面によって説明してきたが、具体的な構成はこれらの実施の形態に限られるものではなく、本発明の要旨を逸脱しない範囲における変更や追加があっても本発明に含まれる。例えば、前記各ガイド部材２１，２２において、乳幼児の胴体両脇に接触する一面側にはクッション性に富むパッド部材をあてがうように構成してもよい。
【００６６】
また、前記各ベルト部材３１，３２のうち、右側のベルト部材３２のみを対応するガイド部材２２の先端側より伸縮可能に構成したが、逆の態様として、左側のベルト部材３１のみを対応するガイド部材２１の先端側より伸縮可能に構成してもよく、また、両方のベルト部材３１，３２を、各ガイド部材２１，２２の先端側より伸縮可能に構成してもよい。
【００６７】
さらにまた、前記安全ベルト構造を設けるものは、前述した乳幼児用ベッド１０に限られるものではなく、他に例えば老人介護用ベッドや病人介護用ベッド、また、乗用車や航空機等の各種乗物用のリクライニングシート、そのうち特にチャイルドシートや、あるいはまた、遊園地等における各種アトラクション用のリクライニングシート等にも幅広く適用することができる。
【００６８】
【発明の効果】
本発明に係る安全ベルト構造によれば、ベッド類の着身面側で利用者の胴体両脇に対して両側方向から近接する２箇所に取り付けられて、利用者の胴体両脇に沿うように配置可能で柔軟性を備えた一対のガイド部材と、各ガイド部材の先端側より延び出て、少なくとも何れか一方がガイド部材の先端側より伸縮可能に設けられ、所定の張力を生じさせた状態で互いに連結可能な一対のベルト部材とから成るので、乳幼児等の利用者の身体に摩擦や過度の押圧による負担をかけることなく、確実かつしっかりと利用者を保持することができ、しかも極めて安全性の高く快適に使用することができる。
【００６９】
また、このような安全ベルト構造は、前記ベッド類が、フロア上に立設される支持本体と、該支持本体の正面に対して該正面に沿った収納位置と略水平に引き倒された使用位置とに開閉可能な寝台と、該寝台上で前記利用者である乳幼児の着身面に相当する範囲に装着されるマットとから成る乳幼児用ベッドに最適に適用することができ、かかる乳幼児用ベッドの使い勝手を向上させることができる。
【図面の簡単な説明】
【図１】本発明の一実施の形態に係る安全ベルト構造を含む乳幼児用ベッドにおいて、寝台を使用位置にした状態を示す斜視図である。
【図２】本発明の一実施の形態に係る安全ベルト構造を含む乳幼児用ベッドにおいて、一対のベルト部材を連結した状態を拡大して示す斜視図である。
【図３】本発明の一実施の形態に係る安全ベルト構造を含む乳幼児用ベッドにおいて、一対のベルト部材を離脱させた状態を拡大して示す斜視図である。
【図４】本発明の一実施の形態に係る安全ベルト構造を含む乳幼児用ベッドにおいて、寝台からマットを取り外した状態を拡大して示す斜視図である。
【図５】本発明の一実施の形態に係る安全ベルト構造を構成する取付プレートに各ガイド部材および各ベルト部材を装着した状態を示す斜視図である。
【図６】本発明の一実施の形態に係る安全ベルト構造を構成する各ガイド部材を一面側から示す斜視図である。
【図７】本発明の一実施の形態に係る安全ベルト構造を構成する各ガイド部材を他面側から示す斜視図である。
【図８】本発明の一実施の形態に係る安全ベルト構造を構成する各ガイド部材から挿通端部を外したものを一面側から示す斜視図である。
【図９】本発明の一実施の形態に係る安全ベルト構造を構成する各ガイド部材から挿通端部を外したものを他面側から示す斜視図である。
【図１０】本発明の一実施の形態に係る安全ベルト構造を構成する各ガイド部材の挿通端部をその案内孔側から示す斜視図である。
【図１１】本発明の一実施の形態に係る安全ベルト構造を構成する各ガイド部材の挿通端部をその正面側から示す斜視図である。
【図１２】本発明の一実施の形態に係る安全ベルト構造を含む乳幼児用ベッドにおいて、乳幼児を横にならせた状態を模式的に示す平面図である。
【図１３】本発明の一実施の形態に係る安全ベルト構造を含む乳幼児用ベッドにおいて、乳幼児を横にならせた状態を模式的に示す正面図である。
【図１４】本発明の一実施の形態の変形例に係る各ガイド部材を一面側から示す斜視図である。
【図１５】従来の乳幼児用ベッドにおいて、乳幼児を横にならせた状態を模式的に示す平面図である。
【図１６】従来の乳幼児用ベッドにおいて、乳幼児を横にならせた状態を模式的に示す正面図である。
【符号の説明】
１０…乳幼児用ベッド
１１…支持本体
１２…凹部
１２ａ…支持部
１３…寝台
１３ａ…長溝
１４ａ…磁石
１４ｂ…被吸着板
１５…マット
１６…枕部
１７…凹溝
２１…ガイド部材
２２…ガイド部材
２３…固着片
２４…被取付部
２５…挿通端部
２６…案内孔
２７…取付孔
２８…スリット
３１…ベルト部材
３２…ベルト部材
３３…止め金具
３４…コイルスプリング
３５…バックル
３７…ベース部
３８…留め金
３８ａ…被係合孔
４０…取付プレート
４１…ガイド溝
【図１】
2004033247.tif 000003
【図２】
2004033247.tif 000004
【図３】
2004033247.tif 000005
【図４】
2004033247.tif 000006
【図５】
2004033247.tif 000007
【図６】
2004033247.tif 000008
【図７】
2004033247.tif 000009
【図８】
2004033247.tif 000010
【図９】
2004033247.tif 000011
【図１０】
2004033247.tif 000012
【図１１】
2004033247.tif 000013
【図１２】
2004033247.tif 000014
【図１３】
2004033247.tif 000015
【図１４】
2004033247.tif 000016
【図１５】
2004033247.tif 000017
【図１６】
2004033247.tif 000018